(57)【要約】【課題】従来、耕耘土壌を耕耘爪の回転方向に移動させる面が、爪の先端側１箇所であるため、土壌は外周方向へ跳ね上げられて同じ場所に戻る持ち回りの土壌が少ない。そのため砕土性能が向上できない課題があった。【解決手段】耕耘爪１は、回転軸２長手方向と直交する面に平行に回転軸２に取り付けられ得る取付基板部１０と、取付基板部１０から連続して形成される縦作用刃部１１と、耕耘爪１の先端側に位置し、湾曲して回転軸の回転方向へ面した面部分１３ａを有する横作用刃部１３と、 縦作用刃部１１と横作用刃部１３との間に連続して設けられ、縦作用刃部１１から横作用刃部１３とは逆方向に湾曲して又は折り曲がって回転軸２の回転方向へ面した面部分１２ａを有する段差部１２とを有する耕耘爪１及び、この耕耘爪１を有する耕耘砕土装置による。【選択図】  図２
2010004764.tif 000002
【特許請求の範囲】
【請求項１】
回転軸の回転軸方向に多数取り付けられる耕耘爪であり、
回転軸長手方向と直交する面に平行に回転軸に取り付けられ得る板状体からなる取付基板部と、
取付基板部から連続して形成される板状体からなる縦作用刃部と、
耕耘爪の先端側に位置し、湾曲して回転軸の回転方向へ面した面部分を有する横作用刃部と、
縦作用刃部と横作用刃部との間に連続して設けられ、縦作用刃部から横作用刃部とは逆方向に湾曲して又は折り曲がって回転軸の回転方向へ面した面部分を有する段差部とを有することを特徴とする耕耘爪。
【請求項２】
回転軸の回転軸方向に多数取り付けられる耕耘爪であり、
回転軸長手方向と直交する面に平行に回転軸に取り付けられ得る板状体からなる取付基板部と、
取付基板部から連続して形成される板状体からなる縦作用刃部と、
耕耘爪の先端側に位置し、湾曲して回転軸の回転方向へ面した面部分を有する横作用刃部と、
縦作用刃部と横作用刃部との間に連続して設けられ、縦作用刃部から横作用刃部と同方向に湾曲して又は折り曲がって回転軸の回転方向へ面した面部分を有する段差部とを有することを特徴とする耕耘爪。
【請求項３】
耕耘爪が、縦作用刃部から段差部に至る稜線部分を含む板状体側方に膨らみのある湾曲面からなる補強部を有する請求項１又は請求項２に記載の耕耘爪。
【請求項４】
耕耘爪が、一体的に形成される板状体からなる請求項１又は請求項２又は請求項３に記載の耕耘爪。
【請求項５】
多数の耕耘爪を回転軸の回転軸方向に取り付けてなる耕耘砕土装置であって、
回転軸に取り付けられる１つの耕耘爪は、
回転軸長手方向と直交する面に平行な面を有して回転軸に取り付けられる板状体からなる取付基板部と、
取付基板部から連続して形成される板状体からなる縦作用刃部と、
耕耘爪の先端側に位置し、湾曲して回転軸の回転方向へ面した面部分を有する横作用刃部と、
縦作用刃部と横作用刃部との間に連続して設けられ、縦作用刃部から横作用刃部とは逆方向に湾曲して又は折り曲がって回転軸の回転方向へ面した面部分を有する段差部とを有し、
回転軸に取り付けられる耕耘爪が、取付基板部を対称面として横作用刃部の湾曲方向が互いに逆方向となった耕耘爪を１組として、回転軸と直交する同一面に略１８０度角位相をずらして取り付けられるとともに、回転軸方向に多数設けられることを特徴とする耕耘爪を有する耕耘砕土装置。
【請求項６】
回転軸に多数取り付けられる耕耘爪が、他の耕耘爪とは回転軸の周面方向へ取付角度をずらして取付基板部を取り付ける請求項５に記載の耕耘爪を有する耕耘砕土装置。
【発明の詳細な説明】
【技術分野】
【０００１】
この発明は、耕耘、砕土、代掻き等に使用する耕耘爪、代掻爪及びその爪を有する耕耘砕土装置に関する。
【背景技術】
【０００２】
代掻刃の従来技術としては、特許第３４４３３２５号公報（従来技術１）に「水平な回転軸の軸周に放射方向に取付けられ、取付け基部２から連続的に形成される縦刃部３と、縦刃部３の先端側で一側に弯曲形成される横刃部４とを備える代掻爪１において、上記縦刃部３の基部を、横刃部４が弯曲している側と反対側に折曲げ線６に沿って所定角度屈曲させ、この折曲げ線６位置に補強リブ８を設け、縦刃部３から横刃部４の先端まで横刃部４の弯曲側に片刃の刃縁７を形成し、縦刃部３は、横刃部４の弯曲側が凹面９、反対側が凸面１０をなすようにわずかに弯曲しており、横刃部４は、峯縁１１側の先端部分が外側に弯曲していて、縦刃部３からの弯曲部分から峯縁１１の先端部分までの断面形状が緩やかなＳ字をなすように形成されている」代掻刃が開示されている。
【０００３】
又、耕耘爪の従来技術としては、特許３４４３３２８号公報（従来技術２）には、「水平な回転軸の軸周に放射方向に向け取付けられ、取付け基部２から連続的に形成される縦刃部３と、縦刃部３の先端側で一側に弯曲形成される横刃部４とを備える耕耘爪１において、耕耘爪１の長さ方向の断面厚さを、取付け基部２が最も厚く、縦刃部３から横刃部４の先端にかけて次第に薄くなるように形成し、該縦刃部３から横刃部４の先端まで横刃部４の弯曲側に片刃の刃縁５を形成すると共に、横刃部４は、峯縁６の先端部分がわずかに外側に弯曲しており、刃縁５の点Ｐを通る曲げ曲線Ｒに沿う断面形状が緩やかなＳ字をなすように形成されており、その断面厚さは、刃縁５の基部が最も厚く、峯縁６に向けて次第に薄くなるように形成されている」耕耘爪が開示されている。
【０００４】
更に、特開２００６−３２０２５３号（従来技術３）には、「回転軸体に取り付けられ、この回転軸体とともに回転する耕耘爪であって、
前記回転軸体に取り付けられ、回転方向に沿った平面状の基板部と、
この基板部の回転方向後縁側に側方に向って突出状に設けられた突出板部と、  前記基板部の先端側に前記回転軸体の回転中心軸線から離れる方向に向って突出状に設けられ、前記回転中心軸線から最も離れた外端の描く円軌跡の半径が前記突出板部の前記回転中心軸線から最も離れた外端が描く円軌跡の半径より
大きい基板延長部とを備えることを特徴とする耕耘爪」及び「前記耕耘爪の基板延長部が、側面視略三角形状に形成されている」との記載がある。
【特許文献１】特許第３４４３３２５号公報（従来技術１）
【特許文献２】特許第３４４３３２８号公報（従来技術２）
【特許文献３】特開２００６−３２０２５３号（従来技術３）
【発明の開示】
【発明が解決しようとする課題】
【０００５】
従来技術１の代掻爪、及び従来技術２の耕耘爪は、それぞれ１枚の板状体からなり回転軸に取り付けられる取付け基部２と，縦刃部３と、横刃部４の記載がある。しかしながら、従来技術１に開示されている代掻爪であると、代掻爪が回転する回転方向に面した面部は、代掻爪の先端部で湾曲している横刃部４の１箇所しかない（従来技術１の図２参照）。同様に従来技術２の耕耘爪は、１枚板が厚さを変えながら連続して湾曲されてなるもので耕耘爪が回転する回転方向に面した面部は、耕耘爪の先端部分である横刃部４とその連続部分の１箇所しかない。
【０００６】
更に、従来技術３の耕耘爪２１には、基板部３１の外周側に突出板部３２が取り付けられており、耕耘爪２１の回転方向に向かう面部としてはこの突出板部３２の面しか開示されていない。
【０００７】
従来技術１乃至３では、耕耘土壌を耕耘爪の回転方向に移動させる面が、爪の先端側１箇所にあるため、回転方向に面した面部によって移動させる土壌は、外周方向へ跳ね上げられて同じ場所に戻る持ち回りの土壌が少ない課題があった。このような耕耘土壌を耕耘爪の回転方向に移動させる面が、爪の先端側１箇所である耕耘爪１００を図８及び図９に示す。従来の耕耘爪１００は、取付基板部１０１で回転軸２００に取り付けられ先端側にある横作用刃部１０２によって土壌を砕土していた。
【０００８】
また、従来技術１乃至３では、耕耘土壌を耕耘爪の回転方向に移動させる面が、爪の先端側１箇所にあるため、より耕耘土壌量を増加させる場合、回転の駆動トルクを増加させるため駆動装置の大容量化等の問題点があった。
【課題を解決するための手段】
【０００９】
この発明は、上記課題を解決するために、回転軸の回転軸方向に多数取り付けられる耕耘爪であり、
回転軸長手方向と直交する面に平行に回転軸に取り付けられ得る板状体からなる取付基板部と、
取付基板部から連続して形成される板状体からなる縦作用刃部と、
耕耘爪の先端側に位置し、湾曲して回転軸の回転方向へ面した面部分を有する横作用刃部と、
縦作用刃部と横作用刃部との間に連続して設けられ、縦作用刃部から横作用刃部とは逆方向に湾曲して又は折り曲がって回転軸の回転方向へ面した面部分を有する段差部とを有することを特徴とする耕耘爪を提案する。
【００１０】
また、回転軸の回転軸方向に多数取り付けられる耕耘爪であり、
回転軸長手方向と直交する面に平行に回転軸に取り付けられ得る板状体からなる取付基板部と、
取付基板部から連続して形成される板状体からなる縦作用刃部と、
耕耘爪の先端側に位置し、湾曲して回転軸の回転方向へ面した面部分を有する横作用刃部と、
縦作用刃部と横作用刃部との間に連続して設けられ、縦作用刃部から横作用刃部と同方向に湾曲して又は折り曲がって回転軸の回転方向へ面した面部分を有する段差部とを有することを特徴とする耕耘爪を提案する。
【００１１】
更に、耕耘爪が、縦作用刃部から段差部に至る稜線部分を含む板状体側方に膨らみのある湾曲面からなる補強部を有する０００９欄又は００１０欄に記載の耕耘爪を提案する。
【００１２】
更に又、耕耘爪が、一体的に形成される板状体からなる０００９欄又は００１０欄又は００１１欄に記載の耕耘爪を提案する。
【００１３】
更に、多数の耕耘爪を回転軸に取り付けてなる耕耘砕土装置であって、
回転軸に取り付けられる１つの耕耘爪は、
回転軸長手方向と直交する面に平行な面を有して回転軸に取り付けられる板状体からなる取付基板部と、
取付基板部から連続して形成される板状体からなる縦作用刃部と、
耕耘爪の先端側に位置し、湾曲して回転軸の回転方向へ面した面部分を有する横作用刃部と、
縦作用刃部と横作用刃部との間に連続して設けられ、縦作用刃部から横作用刃部とは逆方向に湾曲して又は折り曲がって回転軸の回転方向へ面した面部分を有する段差部とを有し、
回転軸に取り付けられる耕耘爪が、取付基板部を対称面として横作用刃部の湾曲方向が互いに逆方向となった耕耘爪を１組として、回転軸と直交する同一面に略１８０度角位相をずらして取り付けられるとともに、回転軸方向に多数設けられることを特徴とする耕耘爪を有する耕耘砕土装置を提案する。
【００１４】
更にまた、回転軸に多数取り付けられる耕耘爪が、他の耕耘爪とは回転軸の周面方向へ取付角度をずらして取付基板部を取り付ける００１３欄に記載の耕耘爪を有する耕耘砕土装置を提案する。
【発明の効果】
【００１５】
この発明によれば、耕耘土壌を回転方向へ持ち運ぶことのできる面部が、耕耘爪の先端側にある横作用刃部と、縦作用刃部と横作用刃部との間に設けられた段差部の２箇所にあり、しかも段差部は、縦作用刃部と横作用刃部との間という耕耘爪のほぼ中間部分に位置するため同容量の土壌を回転方向へ持ち運ぶための回転トルクは小さくてすみエネルギー効率が良いという効果がある。
【００１６】
また、段差部が、縦作用刃部と横作用刃部との間という中間部分に位置するため、耕耘されて持ち運ばれる土壌が外周方向に飛ばされることが少なく、同じ位置近くに落ちて前方への持ち回り量が多くなり、耕耘爪で砕土される回数が多くなるため砕土性が良くなる。
【００１７】
更に請求項３に記載の発明によれば、段差部の強度が向上するとともに、先端の横作用刃部から作用する横方向（板厚方向）の力に対して作用して耕耘爪の横方向への歪みを防止する。
【００１８】
更に、請求項４のように「耕耘爪が、一体的に形成される板状体からなる」ため、低コストで製造できるメリットがある。
【００１９】
更に、請求項５に記載された耕耘爪を有する耕耘砕土装置であると、「回転軸に取り付けられる耕耘爪が、取付基板部を対称面として横作用刃部の湾曲方向が互いに逆方向に取り付けられた隣接する２つの耕耘爪を１組として回転軸方向に多数設けられる」ため、横作用刃部と段差部のそれぞれが左右から包み込むように作用して砕土土壌の持ち回り性が良いとともに、走行方向の左右方向への土壌の移動や偏りが少なく、均平性が良いという効果がある。
【発明を実施するための最良の形態】
【００２０】
この発明の実施形態である耕耘爪の平面図である図１、同じく正面図である図２、この発明の他の実施形態を示す正面図である図３、回転軸に耕耘爪を装着した状態を示し回転軸長手方向から見た図である図４、同じく回転軸に耕耘爪を装着した状態を示し回転軸長手方向と直交する方向から見た図である図５と図６、この発明の実施形態である耕耘爪を有する耕耘砕土装置の左側面説明図である図７に基づいて説明する。
【００２１】
この発明の実施形態である耕耘爪１は、一体的に形成される板状体からなり、耕耘砕土装置Ａの耕耘砕土部Ａ１の回転軸２の長手方向と直交する面に平行に回転軸２の取付部２０に取り付けられ得る取付基板部１０と、取付基板部１０から連続して形成され略同平面からなる縦作用刃部１１と、耕耘爪１の先端側に位置し、湾曲して回転軸２の回転方向へ面した面部分１３ａを有する横作用刃部１３と、縦作用刃部１１と横作用刃部１３との間に連続して設けられ、縦作用刃部１１から横作用刃部１３とは逆方向に湾曲して又は折り曲がって回転軸２の回転方向へ面した面部分１２ａを有する段差部１２とを有する。取付基板部１０には回転軸２の取付部２０にボルトナットで取り付けられる取付孔１５を有する。
【００２２】
耕耘爪１の取付基板部１０と縦作用刃部１１と段差部１２と横作用刃部１３は、回転軸２側から外周方向へ、その順で一体的に設けられており、図８に示す従来の耕耘爪の砕土作用長Ｘ１に比べ図４に示すこの発明の耕耘爪の砕土作用長Ｘ２は、１．５倍程度長い。耕耘爪１は、縦作用刃部１１から段差部１２に至る稜線部分を含む板状体側方に膨らみのある湾曲面からなる補強部１４を有する。
【００２３】
取付基板部１０から縦作用刃部１１への板状体はほぼ同じ平面であり、縦作用刃部１１から段差部１２への折れ曲がり角度は約４５度程度で、折り曲がって回転軸２の回転方向へ面した面部分１２ａの長さは、希望する持ち回り土量によって寸法を決定する。段差部１２から横作用刃部１３へは、取付基板部１０及び縦作用刃部１１の平面と略平行な面を形成した後、湾曲し回転軸２の回転方向へ面した面部分１３ａを形成し先端に至っている。
【００２４】
また、請求項２に係る発明の実施形態である耕耘爪１ａは、図３に示すように横作用刃部１３の湾曲又は折り曲がり方向と、段差部１２の湾曲又は折り曲がり方向が同じである。
【００２５】
図４は、耕耘砕土装置Ａの耕耘砕土部Ａ１の回転軸２に取付基板部１０を対称軸として左右対称の耕耘爪１を、回転軸２の周面方向で１８０度角互いに離して取り付けている。
【００２６】
図５は、耕耘砕土装置Ａの耕耘砕土部Ａ１の回転軸２に耕耘爪１を、回転軸２の周面方向で１８０度角互いに離して取り付けた状態を、回転軸２長手方向と直交する方向から見た図であり、二点差線で示す線は１８０度離れて画かれている耕耘爪１が回転して来たときの形状を示す。
【００２７】
図６は、耕耘砕土装置Ａの耕耘砕土部Ａ１の回転軸２に取り付けられる耕耘爪１が、取付基板部１０を対称面として横作用刃部１３の湾曲方向が互いに逆方向に取り付けられ向かい合った隣接する２つの耕耘爪１、１を１組として回転軸２の長手方向に多数設けられている状態を、回転軸２長手方向と直交する方向から見た図であり、二点差線で示す線は１８０度離れて画かれている耕耘爪１が回転して来たときの形状を示す。
【００２８】
図７は、この発明の実施形態である耕耘爪１を有する耕耘砕土装置Ａの左側面であり、トラクタの３点リンクに連結されたヒッチ機構Ｔにトップマスト３ａ及びロアピン３ｂを有する装着フレーム３によって連結される。耕耘砕土装置Ａは、左右方向に亘って設けられるパイプ状のセンターフレーム（図示せず）と回転自在な耕耘爪１を有する耕耘砕土部Ａ１を設けている。センターフレームは、中央部に入力ケースを設け、入力ケースから入力軸４が前方へ突設される。
【００２９】
センターフレームの片側に伝動チェーンケース５を設けており、出力軸から伝動チェーンケース５内に設けられているスプロケット、ローラチェーンを介して耕耘砕土部Ａ１の回転軸２に回転伝動可能に連結する。
【００３０】
耕耘砕土部Ａ１は、回転軸２と、回転軸２の軸方向に多数設けられる耕耘爪１とを有する。回転軸２に取り付けられる１つの耕耘爪１は、１枚の板状体からなり、回転軸２長手方向と直交する面に平行な面を有して回転軸２に取り付けられる取付基板部１０と、取付基板部１０から連続して形成される縦作用刃部１１と、耕耘爪１の先端側に位置し、湾曲して回転軸２の回転方向へ面した面部分１３ａを有する横作用刃部１３と、 縦作用刃部１１と横作用刃部１３との間に連続して設けられ、縦作用刃部１１から横作用刃部１３とは逆方向に湾曲して又は折り曲がって回転軸２の回転方向へ面した面部分１２ａを有する段差部１２とを有する。
【００３１】
回転軸２に多数取り付けられる耕耘爪１は、図５のように回転軸２の周面方向で１８０度角互いに離して取り付けるが、それぞれが回転軸２の長手方向に対して同じ方向を向いて設ける場合と、図６に示すように取付基板部１０を対称面として横作用刃部１３の湾曲方向が互いに逆方向に取り付けられた隣接する２つの耕耘爪１を１組として回転軸方向に多数設けてもよい。
【００３２】
また耕耘爪１は、図４に示すように、隣接する耕耘爪１とは回転軸２の周面方向へ取付角度をずらして取付基板部１０を取り付けている。
【００３３】
耕耘砕土部Ａ１は、上面に耕耘砕土部上面カバー６を設けている。耕耘砕土部上面カバー６は、その後端辺で第１整地板７を第１整地板回動軸７０を介して上下回動可能に設けている。第１整地板７は、その後端辺（若しくは下端辺）に第２整地板８を第２整地板回動軸８０を介して上下回動可能に設けている。第１整地板７は、第１レーキ７１を備えている。
【００３４】
第１整地板７及び第２整地板８は、整地板リンク機構９のリンク機構の一部であり耕耘砕土装置本体Ａに連結される。整地板リンク機構９は、第１リンク９０と第２リンク９１と第１整地板７と第２整地板８とからなり、耕耘砕土装置本体Ａと回動自在に連結している。
【００３５】
この発明の耕耘爪１は、図４及び図７に示すように回転軸２の高速回転に伴って矢印Ｒの方向に回転し、先端側の横作用刃部１３の面部分１３ａで砕土された土壌は矢印Ｓ１方向に飛ばされ第１整地板７等に衝突して砕土される。中間部に位置する段差部１２の面部分１２ａで耕耘された土壌は矢印Ｓ２方向に飛ばされる。そのため段差部１２の面部分１２ａで耕耘され飛ばされる土壌は、耕耘砕土部上面カバー６の下面に当たり、耕耘砕土部上面カバー６内に持ち込まれ、前方へ持ち回られ、これによって再び砕土されるため砕土性が向上する。
【００３６】
また、図６に示される実施形態であると、回転軸２に取り付けられる耕耘爪１が、取付基板部１０を対称面として横作用刃部１３の湾曲方向が互いに逆方向に取り付けられた隣接する２つの耕耘爪１を１組として回転軸２方向に多数設けられるため、横作用刃部１３と段差部１２のそれぞれが向かい合い、左右から包み込むように作用して砕土土壌の持ち回り性が良い。また、走行方向の左右方向への土壌の移動や偏りが少なく、均平性が良い。
【産業上の利用可能性】
【００３７】
この発明は、耕耘、代掻きなどの作業に使用する耕耘爪及び耕耘、代掻きなどの作業を行う耕耘砕土装置に利用される。
【図面の簡単な説明】
【００３８】
【図１】この発明の実施形態である耕耘爪の平面図
【図２】この発明の実施形態である耕耘爪の正面図
【図３】この発明の耕耘爪の他の実施形態を示す正面図
【図４】同じくこの発明の実施形態である耕耘爪を回転軸に装着した状態を示し回転軸長手方向から見た図
【図５】同じく回転軸に耕耘爪を装着した状態を示し回転軸長手方向と直交する方向から見た図
【図６】同じく回転軸に耕耘爪を装着した他の実施形態の状態を示し回転軸長手方向と直交する方向から見た図
【図７】この発明の実施形態である耕耘爪を有する耕耘砕土装置の左側面説明図
【図８】従来技術の耕耘爪を回転軸に装着した状態を示し回転軸長手方向から見た図
【図９】従来技術の耕耘爪を回転軸に装着した状態を示し回転軸長手方向と直交する方向から見た図
【符号の説明】
【００３９】
Ａ  耕耘砕土装置
Ａ１  耕耘砕土部
１  耕耘爪
１０  取付基板部
１１  縦作用刃部
１２  段差部
１２ａ  段差部の回転方向に向いた面部分
１３  横作用刃部
１３ａ  横作用刃部の回転方向に向いた面部分
１４  補強部
１５  取付孔
２  回転軸
２０  取付部
３  装着フレーム
４  入力軸
５  伝動フレーム
６  耕耘砕土部上面カバー
７  第１整地板
８  第２整地板
９  整地板リンク機構
【図１】
2010004764.tif 000003
【図２】
2010004764.tif 000004
【図３】
2010004764.tif 000005
【図４】
2010004764.tif 000006
【図５】
2010004764.tif 000007
【図６】
2010004764.tif 000008
【図７】
2010004764.tif 000009
【図８】
2010004764.tif 000010
【図９】
2010004764.tif 000011